(57)【要約】【課題】  持ち上げ労力の軽減をより向上させ、素早い持ち上げも可能にする回動手すりを提供する。【解決手段】  支持部材３に回転軸５介して手すり体７が回転自在に支持され非使用状態と使用状態とへ昇降回動する回動手すり１であって、支持部材３と回転軸５との間に設けられ手すり体７の回動をダンピングする回転ダンパと、回転ダンパと回転軸５との間に設けられ使用状態から非使用状態への手すり体７の回動時に回転ダンパのダンピングをキャンセルするワンウェイ・クラッチとを備え、手すり体７を自由回転で格納位置へ回動させることができ、持ち上げ労力の軽減により非力な人でも容易に持ち上げることができることを特徴とする。【選択図】  図１
2014201936.tif 000002
【特許請求の範囲】
【請求項１】
支持部材に回転軸を介して手すり体が回転自在に支持され非使用状態と使用状態とへ昇降回動する回動手すりであって、
前記支持部材と前記回転軸との間に設けられ前記手すり体の回動をダンピングする回転ダンパと、
前記回転ダンパと前記回転軸との間に設けられ前記使用状態から非使用状態への手すり体の回動時に前記回転ダンパのダンピングをキャンセルするワンウェイ・クラッチと、
を備えたことを特徴とする回動手すり。
【請求項２】
請求項１記載の回動手すりであって、
前記回転軸側と前記支持部材側との一方にピンを備え他方にピンをガイドして前記手すり体の回転範囲を規制するガイド部を備えた、
ことを特徴とする回動手すり。
【請求項３】
請求項１又は２記載の回動手すりであって、
前記支持部材の外側に、前記手すり体に内縁部が近接するカバーを備えた、
ことを特徴とする回動手すり。
【発明の詳細な説明】
【技術分野】
【０００１】
本発明は、トイレ等に介護用等として設置される回動手すりに関する。
【背景技術】
【０００２】
従来この種の手すりとして特許文献1に記載の可動式手すりがある。この可動式手すりは、回動を制動するための制動ディスクダンパと持ち上げ回動補助として渦巻きスプリングとが用いられたものである。
【０００３】
したがって、手摺ロッドを格納位置から使用位置へ下降回動させるとき制動ディスクダンパの働きにより緩やかに降下させることができ、使用位置から格納位置へ持ち上げ回動させるときに、渦巻きスプリングの補助により持ち上げ労力を軽減させることができる。
【０００４】
しかし、制動ディスクダンパは、格納位置と使用位置との間で双方向に制動トルクが働くため、渦巻きスプリングの補助があっても持ち上げ方向に制動トルクが働くことになっていた。
【０００５】
また、手摺ロッドを使用位置で自立静止させるためには、渦巻きスプリングが最大圧縮された状態において巻き戻しトルクが制動ディスクダンパの制動トルクと手動ロッドの自重による回動トルクとの和よりも小さくなければならない。このため、渦巻きスプリングの巻き戻しトルクも小さくならざるを得ず、持ち上げ労力の軽減には限界があった。
【０００６】
さらに、何らかの要因で手摺ロッドを緊急に持ち上げる必要が生じても、持ち上げ方向に制動トルクが働いてしまい、素早い持ち上げを行うことができなかった。
【先行技術文献】
【特許文献】
【０００７】
【特許文献１】特許第４１００２５８号公報
【発明の概要】
【発明が解決しようとする課題】
【０００８】
解決しようとする問題点は、持ち上げ方向での制動トルクにより、持ち上げ労力の軽減には限界があり、素早い持ち上げの障害にもなっていた点である。
【課題を解決するための手段】
【０００９】
本発明に係る回動手すりは、持ち上げ労力の軽減をより向上させ、素早い持ち上げも可能とするために、支持部材に回転軸を介して手すり体が回転自在に支持され非使用状態と使用状態とへ昇降回動する回動手すりであって、前記支持部材と前記回転軸との間に設けられ前記手すり体の回動をダンピングする回転ダンパと、前記回転ダンパと前記回転軸との間に設けられ前記使用状態から非使用状態への手すり体の上昇回動時に前記回転ダンパのダンピングをキャンセルするワンウェイ・クラッチとを備えたことを特徴とする。
【発明の効果】
【００１０】
本発明の回動手すりは、上記構成であり、手すり体を非使用状態から使用状態へ下降回動させるときは回転ダンパの働きで回動を制動するから緩やかに降下させることができる。手すり体を使用状態から非使用状態へ上昇回動させるときは、ワンウェイ・クラッチの働きで回転軸と回転ダンパとの連動が遮断され、持ち上げ方向での制動トルクがキャンセルされ、手すり体の自重を持ち上げるだけとなり、持ち上げ労力をより軽減させることができる。しかも、緊急に持ち上げるときでも制動トルクがキャンセルされるので素早い持ち上げを可能とする。
【図面の簡単な説明】
【００１１】
【図１】（Ａ）は、回動手すりの使用状態、（Ｂ）は、回動手すりの非使用状態を示す説明図である。（実施例１）
【図２】回動手すりの一部省略正面図である。（実施例１）
【図３】回動手すりの一部省略平面図である。（実施例１）
【図４】回動手すりの一部省略左側面図である。（実施例１）
【図５】回動手すりの一部省略右側面図である。（実施例１）
【図６】回動手すりの回転軸回りを示す一部省略正面説明図である。（実施例１）
【図７】ワンウェイ・クラッチの要部概略図である。（実施例１）
【図８】回動手すりの一部省略右側面図である。（実施例１）
【発明を実施するための形態】
【００１２】
持ち上げ方向での制動トルクをキャンセルし、持ち上げ労力の軽減をより向上させ、素早い持ち上げも可能にするという目的を、支持部材に回転軸を介して手すり体が回転自在に支持され非使用状態と使用状態とへ昇降回動する回動手すりであって、前記支持部材と前記回転軸との間に設けられ前記手すり体の回動をダンピングする回転ダンパと、前記回転ダンパと前記回転軸との間に設けられ前記使用状態から非使用状態への手すり体の回動時に前記回転ダンパのダンピングをキャンセルするワンウェイ・クラッチとを備えたことにより実現させた。
【実施例１】
【００１３】
図１（Ａ）は、回動手すりの使用状態、（Ｂ）は、回動手すりの非使用状態を示す説明図、図２は、回動手すりの一部省略正面図、図３は、回動手すりの一部省略平面図、図４は、回動手すりの一部省略左側面図、図５は、回動手すりの一部省略右側面図、図６は、回動手すりの回転軸回りを示す一部省略正面説明図、図７は、ワンウェイ・クラッチの要部概略図である。
【００１４】
図１〜図６のように、回動手すり１は、支持部材３に回転軸５を介して手すり体７が回転自在に支持され非使用状態である上昇位置と使用状態である下降位置とへ昇降回動する構成であり、回転ダンパ９とワンウェイ・クラッチ１１とを備えている。
【００１５】
支持部材３は、矩形板状のベース・パネル１３に一対の軸支持板１５ａ、１５ｂが一体的に突設されたものである。ベース・パネル１３には、四隅に貫通孔１３ａが形成され、トイレ内の壁面Ｗ等にボルトＢで固定できるようになっている。なお、図２において、ボルトＢは、貫通孔１３ａの一つにのみ鎖線図示されている。
【００１６】
一対の軸支持板１５ａ、１５ｂは、平行に対向配置されている。軸支持板１５ａ、１５ｂの中央には、軸支持用の貫通孔１７ａ、１７ｂが形成されている。一方の軸支持板１５ｂには、ガイド部としてのガイド長孔１９が貫通孔１７ｂと同芯の弧状に形成されている。
【００１７】
回転軸５は、軸支持板１５ａ、１５ｂの貫通孔１７ａ、１７ｂに回転自在に支持され、一端５ａは、ダンパ結合のために軸支持板１５ａ外へ突設されている。
【００１８】
回転軸５には、手すり体７が一体的に結合され、一体回転するようになっている。手すり体７は、ロッド部７ａの基部がボス部７ｂに結合されたものである。ボス部７ｂは回転軸５に嵌合し、止めネジ２１によりボス部７ａが回転軸５に固定されている。回転軸５には、ピン２３が螺合固定され、軸支持板１５ｂ側へ突出し、ガイド長孔１９に嵌合している。ピン２３は、ボルト構造であり、手すり体７を軸支持板１５ａ、１５ｂに組み込んでからボス部７ｂのねじ穴（図示せず）にねじ込んでいる。ピン２３を単なるピン構造とし、ボス部７ｂの穴（図示せず）に圧入固定することもできる。
【００１９】
ピン２３の可動範囲はガイド長孔１９により規制される。ピン２３の可動範囲θは、９０°よりも僅かに大きく、ガイド長孔１９の上端側が取付状態での水平位置よりも若干延長されている。なお、ピン２３を、軸支持板１５ｂに固定し、ガイド長孔１９をボス部７ｂ側に形成することもできる。
【００２０】
したがって、回転軸５側と支持部材３側との一方にピン２３を備え他方にピン２３をガイドして手すり体７の回転範囲を規制するガイド部を備えた構成となっている。
【００２１】
回転ダンパ９は、軸支持板１５ａの外面にボルト２４により固定され、回転軸５の一端５ａが結合されている。すなわち、回転ダンパ９は、支持部材３と回転軸５との間に設けられ手すり体７の回動をダンピングする構成となっている。回転ダンパ９は、図７で示す可動部９ａが回転軸５の一端５ａと一体的に回転するときダンピング作用を発揮する。
【００２２】
図7は、ワンウェイ・クラッチの要部概略図である。
【００２３】
ワンウェイ・クラッチ１１は、回転ダンパ９と回転軸５との間に設けられ使用状態から非使用状態への手すり体７の回動時に回転ダンパ９のダンピングをキャンセルするものである。回転ダンパ９の可動部９ａに回転方向へ傾斜したクラッチ溝１１ａが形成され、クラッチ溝１１ａ内にローラ１１ｂが転動自在に配置されている。クラッチ溝１１ａの回転方向の一側には、板ばね１１ｃが配置され、ローラ１１ｂを回転方向一側へ付勢している。
【００２４】
したがって、図７において、回転軸５が図上反時計回りに回転するとローラ１１ｂが板ばね１１ｃ方向へ転動するからワンウェイ・クラッチ１１が切れ、回転ダンパ９に対し回転軸５（一端５ａ）が自由回転する。回転軸５が図上時計回りに回転するとローラ１１ｂが板ばね１１ｃに付勢されて転動し、ローラ１１ｂが可動部９ａと回転軸５との間に喰い込むことでワンウェイ・クラッチ１１が繋がり、回転軸５に対して回転ダンパ９の制動トルクが働く。
【００２５】
図１〜図６のように、支持部材３の外側には、手すり体７に内縁部が近接するカバー２５ａ、２５ｂを備えている。カバー２５ａ、２５ｂは、同一形状に形成されている。カバー２５ａ、２５ｂは、内外二重構造であり、外郭２５ａａ、２５ｂａは側面から見ると軸支持板１５ａ、１５ｂとほぼ同一形状に形成され、断面凹形状に形成されている。カバー２５ａ、２５ｂの内郭２５ａｂ、２５ｂｂは、外郭２５ａａ、２５ｂａよりも小さく回転ダンパ９を覆う凹形状に形成されている。
【００２６】
なお、回転ダンパ９は、図６の正面側から見て左側にのみ設けられているが、左右のカバー２５ａ、２５ｂは、対称形状に形成されている。したがって、回転ダンパ９を回転軸５の両端に取り付け、或いは左側にのみ設けてカバー２５ａ、２５ｂを取り付けることができる。
【００２７】
支持部材３のベース・パネル１３は、図１のような状態で壁面Ｗに固定される。非使用状態では、手すり体７が壁面に沿った図１（Ｂ）の格納位置に格納される。この位置では、手すり体７が垂直位置よりも壁面Ｗ側へ若干傾斜しており、手すり体７の重心位置が回転軸５よりも壁面Ｗ側に位置し、手すり体７の格納位置が維持される。
【００２８】
手すり体７を使用するときは、格納位置Ｂにある手すり体７を手で引き下ろして回動させる。このとき、回動に対して手すり体７の自重が回動方向下方に働き、手すり体７の回動が付勢される。
【００２９】
この手すり体７の回動時に、図６での説明のようにワンウェイ・クラッチ１１が接続されるので回転ダンパ９のダンピング機能が回転軸５に働き、手すり体７を図１（Ａ）の使用位置となる水平位置まで静かに下ろすことができる。
【００３０】
手すり体７の使用位置では、ピン２３がガイド長孔１９の下端部に当接し、ストッパとなる。
【００３１】
手すり体７を格納するときは、手すり体７を手で押し上げる。このとき、図６での説明のようにワンウェイ・クラッチ１１が切れて回転ダンパ９の制動トルクは働かず、手すり体７を自由回転で図1（Ａ）から図１（Ｂ）の格納位置へ回動させることができる。
【００３２】
このように、本願実施例に係る回転手すりは、支持部材３に回転軸５を介して手すり体７が回転自在に支持され非使用状態と使用状態とへ昇降回動する回動手すり１であって、  支持部材３と回転軸５との間に設けられ手すり体７の回動をダンピングする回転ダンパ９と、回転ダンパ９と回転軸５との間に設けられ使用状態から非使用状態への手すり体７の回動時に回転ダンパ９のダンピングをキャンセルするワンウェイ・クラッチ１１とを備えた。
【００３３】
このため、手すり体７を自由回転で図1（Ａ）から図１（Ｂ）の格納位置へ回動させることができ、持ち上げ労力の軽減により非力な人でも容易に持ち上げることができる。
【００３４】
また、何らかの要因で手すり体７を緊急に持ち上げる必要が生じたとき、持ち上げ方向に自由回転できるため、素早い持ち上げを行うことができる。
【００３５】
回転軸５側と支持部材３側との一方にピン２３を備え他方にピン２３をガイドして手すり体７の回転範囲θを規制するガイド部としてピン２３及びガイド長孔１９を備えた。
【００３６】
このため、簡単な構造で手すり体７を格納位置にすることができる。
【００３７】
支持部材３の外側に、手すり体７に内縁部が近接するカバー２５ａ、２５ｂを備えた。
【００３８】
このため、ピン２３及びガイド長孔１９がボス部７ｂ端面とカバー２５ｂとにより囲まれ、外部から完全に遮断することができる。
【００３９】
手すり体７に内縁部が近接するため、カバー２５ａ、２５ｂ間に指等が入りづらくなる。ボス部７ｂの外形を拡大し、カバー２５ａ、２５ｂの外周径と同一等にすると、指等が入るのを、完全に排除することができる。
【００４０】
なお、支持部材３と回転軸５との間に、手すり体７の格納方向への回動を付勢する渦巻きスプリングを介設することもできる。但し、スプリングの付勢力は、手すり体７の自重をキャンセルでき且つ使用状態の水平位置を維持できる強さとなる。
【００４１】
ガイド部のガイド長孔１９は、ストッパ機能を発揮できれば良く、図８のようにガイド長孔１９の外縁側を切欠いたものに相当するガイド凹部１９Ａとしても良い。この場合、ガイド凹部１９Ａに対するピン２３の配置が容易となる。
【符号の説明】
【００４２】
１  回動手すり
３  支持部材
５  回転軸
７  手すり体
９  回転ダンパ
１１  ワンウェイ・クラッチ
１９  ガイド長孔（ガイド部）
１９Ａ  ガイド凹部（ガイド部）
２３  ピン（ガイド部）
２５ａ、２５ｂ  カバー
【図１】
2014201936.tif 000003
【図２】
2014201936.tif 000004
【図３】
2014201936.tif 000005
【図４】
2014201936.tif 000006
【図５】
2014201936.tif 000007
【図６】
2014201936.tif 000008
【図７】
2014201936.tif 000009
【図８】
2014201936.tif 000010